(57)【要約】【課題】デジタルＶＴＲ等の磁気記録再生装置において、低い消費電力で記録状態の判別を行えるようにする。【解決手段】回転ドラム上に、互いに対向する複数対の記録ヘッドＲＥＣ１／１３〜ＲＥＣ１２／２４と、記録ヘッドＲＥＣ１／１３〜ＲＥＣ１２／２４に対応する複数対の再生ヘッドＰＢ１／１３〜ＰＢ１２／２４とを配置した磁気記録再生装置において、再生ＲＦ信号のレベルを検出する検出手段と、記録時に、各々の対の記録ヘッドの一方の記録ヘッドの記録期間と残りの記録ヘッドの記録期間との間の非記録期間に、いずれかの対の再生ヘッドによる再生ＲＦ信号をこの検出手段に供給させる制御手段とを備える。【選択図】            図８
2005018832.tif 000002
【特許請求の範囲】
【請求項１】
回転ドラム上に、互いに対向する複数対の記録ヘッドと、前記記録ヘッドに対応する複数対の再生ヘッドとを配置した磁気記録再生装置において、
再生ＲＦ信号のレベルを検出する検出手段と、
記録時に、各々の前記対の記録ヘッドの一方の記録ヘッドの記録期間と残りの記録ヘッドの記録期間との間の非記録期間に、いずれかの前記対の再生ヘッドによる再生ＲＦ信号を、前記検出手段に供給させる制御手段と
を備えたことを特徴とする磁気記録再生装置。
【請求項２】
請求項１に記載の磁気記録再生装置において、
前記制御手段は、各々の前記対の記録ヘッドによって形成されるトラック毎に、トラックの走査方向上の異なる位置からの再生ＲＦ信号を前記検出手段に供給させる
ことを特徴とする磁気記録再生装置。
【請求項３】
請求項２に記載の磁気記録再生装置において、
前記制御手段は、各々の前記対の記録ヘッドによって形成されるトラックについて、磁気テープの幅方向上で均等に分散した位置からの再生ＲＦ信号を前記検出手段に供給させる
ことを特徴とする磁気記録再生装置。
【請求項４】
請求項１乃至３のいずれかに記載の磁気記録再生装置において、
前記制御手段は、前記記録期間の複数倍以上の期間を単位として、間欠的に前記検出手段に再生ＲＦ信号を供給させる
ことを特徴とする磁気記録再生装置。
【請求項５】
回転ドラム上に、互いに対向する複数対の記録ヘッドと、前記記録ヘッドに対応する複数対の再生ヘッドとを配置した磁気記録再生装置における記録時の記録状態判別方法において、
各々の前記対の記録ヘッドの一方の記録ヘッドの記録期間と残りの記録ヘッドの記録期間との間の非記録期間に、いずれかの前記対の再生ヘッドによる再生ＲＦ信号のレベルを検出する第１ステップと、
前記第１ステップの検出結果に基づき、記録状態が正常であるか否かを判別する第２ステップと
を有することを特徴とする記録状態判別方法。
【請求項６】
請求項５に記載の記録状態判別方法において、
前記第１ステップで、各々の前記対の記録ヘッドによって形成されるトラック毎に、トラックの走査方向上の異なる位置からの再生ＲＦ信号のレベルを検出する
ことを特徴とする記録状態判別方法。
【請求項７】
請求項６に記載の記録状態判別方法において、
前記第１ステップで、各々の前記対の記録ヘッドによって形成されるトラックについて、磁気テープの幅方向上で均等に分散した位置からの再生ＲＦ信号を検出する
ことを特徴とする記録状態判別方法。
【請求項８】
請求項５乃至７のいずれかに記載の記録状態判別方法において、
前記第１ステップで、前記記録期間の複数倍以上の期間を単位として、間欠的に再生ＲＦ信号のレベルを検出する
ことを特徴とする記録状態判別方法。
【請求項９】
回転ドラム上に、互いに対向する複数対の記録ヘッドと、前記記録ヘッドに対応する複数対の再生ヘッドとを配置した磁気記録再生装置において、
１つずつの前記対の記録ヘッドと再生ヘッドとで、ロータリートランスの１つのチャンネルが共用されており、
再生ＲＦ信号のレベルを検出する検出手段と、
記録時に、各々の前記対の記録ヘッドの一方の記録ヘッドの記録期間と残りの記録ヘッドの記録期間との間の非記録期間に、該対の記録ヘッドと前記ロータリートランスのチャンネルを共用する前記対の再生ヘッドによる再生ＲＦ信号を、前記ロータリートランスの該共有するチャンネルを介して前記検出手段に供給させる制御手段と
を備えたことを特徴とする磁気記録再生装置。
【請求項１０】
請求項９に記載の磁気記録再生装置において、
各々の前記対の記録ヘッドによって形成されるトラック毎に、トラックの走査方向上の異なる位置からの再生ＲＦ信号が前記検出手段に供給されるように、前記ロータリートランスのチャンネルの共用関係が決定されている
ことを特徴とする磁気記録再生装置。
【請求項１１】
請求項１０に記載の磁気記録再生装置において、
各々の前記対の記録ヘッドによって形成されるトラックについて、磁気テープの幅方向上で均等に分散した位置からの再生ＲＦ信号が前記検出手段に供給されるように、前記ロータリートランスのチャンネルの共用関係が決定されている
ことを特徴とする磁気記録再生装置。
【請求項１２】
請求項９乃至１１のいずれかに記載の磁気記録再生装置において、
前記制御手段は、前記記録期間の複数倍以上の期間を単位として、間欠的に前記検出手段に再生ＲＦ信号を供給させる
ことを特徴とする磁気記録再生装置。
【発明の詳細な説明】
【０００１】
【発明の属する技術分野】
本発明は、磁気記録再生装置、及び磁気記録再生装置における記録状態の判別方法に関する。
【０００２】
【従来の技術】
ポータブル型のデジタルＶＴＲでは、スタジオ等で使用される据え置き型のデジタルＶＴＲよりも回転ドラム上の記録ヘッドの数を多くするとともに回転ドラムの回転速度を低くすることにより、ノイズの発生を抑えつつ据え置き型のデジタルＶＴＲと同じ記録パターンによってトラックを形成するようになされている（例えば、特許文献１参照）。
【０００３】
図１は、ポータブル型のデジタルＶＴＲの回転ドラム上のヘッドの配置例を示す図である。回転ドラム５０上に、記録ヘッドＲＥＣ１〜ＲＥＣ１２と、各記録ヘッドＲＥＣ１〜ＲＥＣ１２に対してそれぞれ１８０°の角間隔で対向する記録ヘッドＲＥＣ１３〜ＲＥＣ２４との、合計２４個の記録ヘッド（１２対の対向記録ヘッド）が配置されている。
【０００４】
また、各記録ヘッドＲＥＣ１〜ＲＥＣ２４に対してそれぞれ９０°の角間隔で、２４個の再生ヘッドＰＢ１〜ＰＢ２４（１２対の対向再生ヘッド）が配置されている。
【０００５】
記録時には、回転ドラム５０に巻き付けられて走行する磁気テープに、各記録ヘッドＲＥＣ１〜ＲＥＣ２４により、ドラム１回転あたり２４本のトラックが斜めに形成される。
【０００６】
従来、こうしたヘッド配置の回転ドラムを有するデジタルＶＴＲでは、記録時における記録状態の判別方法として、各記録ヘッドＲＥＣ１〜ＲＥＣ２４によるトラックを、それぞれ再生ヘッドＰＢ１〜ＰＢ２４で全長に亘って記録と同時に再生する（トラックの全長に亘る再生ＲＦ信号を検出する）という方法を採っていた。
【０００７】
次に、図２は、図１のヘッド配置の回転ドラムを有する従来のデジタルＶＴＲにおける、回転ドラム内の回路構成を示す図である。２６チャンネルのロータリートランス６０と、１２個の記録アンプ１０１〜１１２と、１２個の再生アンプ２０１〜２１２と、マルチプレクスデコーダ７０とが設けられている。
【０００８】
ロータリートランス６０のチャンネルＣＨ１〜ＣＨ１２は、それぞれ、デジタルＶＴＲ内の信号処理系（図示略）からの対向記録ヘッドＲＥＣ１／１３〜ＲＥＣ１２／２４用の記録信号を、対向記録ヘッドＲＥＣ１／１３〜ＲＥＣ１２／２４用の記録アンプ１０１〜１１２に送るために用いられる。
【０００９】
ロータリートランス６０のチャンネルＣＨ１３〜ＣＨ２４は、それぞれ、対向再生ヘッドＰＢ１／１３〜ＰＢ１２／２４用の再生アンプ２０１〜２１２からの再生ＲＦ信号を、デジタルＶＴＲ内の信号処理系に送るために用いられる。
【００１０】
ロータリートランス６０のチャンネルＣＨ２５，ＣＨ２６は、それぞれ、デジタルＶＴＲ内の信号処理系からの、各記録アンプ１０１〜１１２，再生アンプ２０１〜２１２用の２４系統のコントロール信号を多重化したＭＰＸデータと、このＭＰＸデータの復元のために必要なクロックＣＫとをマルチプレクスデコーダ７０に送るために用いられる。マルチプレクスデコーダ７０では、このクロックＣＫを用いてＭＰＸデータが復元され、各記録アンプ１０１〜１１２，再生アンプ２０１〜２１２にコントロール信号が与えられる。
【００１１】
このように、従来のデジタルＶＴＲでは、回転ドラム内に、各対向記録ヘッド用のロータリートランスと、各対向再生ヘッド用のロータリートランスとが、別々に設けられていた。
【００１２】
【特許文献１】
特開２００２−５６５０１号公報（段落番号０００２〜０００７、図７及び図８）
【００１３】
【発明が解決しようとする課題】
しかし、こうした従来のデジタルＶＴＲには、記録状態の判別のために記録と同時にトラックを全長に亘って再生するので、記録時に再生アンプ（図２の再生アンプ２０１〜２１２）を常時オンにしなければならず、その結果消費電力が多くなってしまうという不都合があった。
【００１４】
また、図２に示したように、各対向記録ヘッド用のロータリートランスと各対向再生ヘッド用のロータリートランスとを回転ドラム内に別々に設けるので、ポータブル型デジタルＶＴＲのように対向記録ヘッドや対向再生ヘッドの数が多い場合、ロータリートランスのチャンネル数が多くなることによって回転ドラムのサイズや重量が大きくなり、そのことがデジタルＶＴＲ全体の小型軽量化の妨げになるという不都合があった。
【００１５】
本発明は、上述の点に鑑み、デジタルＶＴＲ等の磁気記録再生装置において、低い消費電力で記録状態の判別を行えるようにすること（さらには、低い消費電力で記録状態の判別を行えるとともに、小型軽量化を実現すること）を課題としてなされたものである。
【００１６】
【課題を解決するための手段】
この課題を解決するために、本出願人は、回転ドラム上に、互いに対向する複数対の記録ヘッドと、これらの記録ヘッドに対応する複数対の再生ヘッドとを配置した磁気記録再生装置において、再生ＲＦ信号のレベルを検出する検出手段と、記録時に、各々の対の記録ヘッドの一方の記録ヘッドの記録期間と残りの記録ヘッドの記録期間との間の非記録期間に、いずれかの対の再生ヘッドによる再生ＲＦ信号をこの検出手段に供給させる制御手段とを備えた磁気記録再生装置を提案する。
【００１７】
この磁気記録再生装置では、記録時に、回転ドラム上の各対の記録ヘッド（対向記録ヘッド）のうちの一方の記録ヘッドの記録期間と残りの記録ヘッドの記録期間との間の非記録期間に、いずれかの対の再生ヘッド（対向再生ヘッド）による、その対向再生へッドに対応する対向記録ヘッドで形成されるトラックからの再生ＲＦ信号が、制御手段によって検出手段に供給されて、検出手段によってレベル検出される。したがって、このレベル検出結果に基づいて、記録状態を判別することができる。
【００１８】
また、対向記録ヘッドの非記録期間にのみトラックを再生するので、従来のようにトラックを全長に亘って再生する場合と異なり、記録時に常時再生アンプをオンにする必要はなく、この非記録期間にのみ再生アンプをオンにすれば足りる。これにより、低い消費電力で記録状態の判別を行えるようになる。
【００１９】
なお、この磁気記録再生装置において、一例として、制御手段は、各対向記録ヘッドによって形成されるトラック毎に、トラックの走査方向上の異なる位置からの再生ＲＦ信号を検出手段に供給させることが好適である。さらには、各対向記録ヘッドによって形成されるトラックについて、磁気テープの幅方向上で均等に分散した位置からの再生ＲＦ信号を検出手段に供給させることが一層好適である。
【００２０】
磁気テープの走行時には、テープ走行系の一部が磁気テープを引っ掻くことにより、磁気テープに長手方向に沿って直線状に傷が付くというメカニカルなトラブルが生じることがある。この傷は、磁気テープに斜めに形成されるトラックについてみると、各トラックの走査方向上の同じ位置に存在することになる。
【００２１】
そのため、各対向記録ヘッドによって形成されるトラックについて、トラックの走査方向上の同じ位置からの再生ＲＦ信号を検出手段に供給する場合には、その位置が傷の存在する位置と異なっていることにより、この傷を見過ごして記録状態が正常であると判別してしまうことがある。
【００２２】
これに対し、各対向記録ヘッドによって形成されるトラック毎に、トラックの走査方向上の異なる位置からの再生ＲＦ信号を検出手段に供給する（さらには、各対向記録ヘッドによって形成されるトラックについて、磁気テープの幅方向上で均等に分散した位置からの再生ＲＦ信号を検出手段に供給する）ようにすれば）、いずれかの対向記録ヘッドによって形成されるトラックからの再生ＲＦ信号のレベルの検出結果から、こうしたメカニカルトラブルによる傷を見つけることが可能になる。これにより、記録状態をより一層高精度に判別することができるようになる。
【００２３】
また、この磁気記録再生装置において、一例として、制御手段は、記録ヘッドの記録期間の複数倍以上の期間を単位として、間欠的に検出手段に再生ＲＦ信号を供給させることが好適である。
【００２４】
このように間欠的に再生ＲＦ信号のレベルを検出することにより、再生アンプをオンにするトータルの期間がさらに短くなるので、より一層低い消費電力で記録状態の判別を行えるようになる。また、記録ヘッドの記録期間の複数倍以上の期間を単位としてレベル検出を行うことにより、複数トラックからの再生ＲＦ信号のレベルが連続して検出されるので、記録状態の判別精度の低下を招くこともない。
【００２５】
次に、本出願人は、回転ドラム上に、互いに対向する複数対の記録ヘッドと、これらの記録ヘッドに対応する複数対の再生ヘッドとを配置した磁気記録再生装置における記録時の記録状態判別方法において、各々の対の記録ヘッドの一方の記録ヘッドの記録期間と残りの記録ヘッドの記録期間との間の非記録期間に、いずれかの対の再生ヘッドによる再生ＲＦ信号のレベルを検出する第１ステップと、この第１ステップの検出結果に基づき、記録状態が正常であるか否かを判別する第２ステップとを有する記録状態判別方法を提案する。
【００２６】
また、この記録状態判別方法において、第１ステップで、各々の対の記録ヘッドによって形成されるトラック毎に、トラックの走査方向上の異なる位置からの再生ＲＦ信号のレベルを検出するようにしたものや、さらには、各々の対の記録ヘッドによって形成されるトラックについて、磁気テープの幅方向上で均等に分散した位置からの再生ＲＦ信号を検出するようにしたものを提案する。
【００２７】
また、この記録状態判別方法において、第１ステップで、記録ヘッドの記録期間の複数倍以上の期間を単位として、間欠的に再生ＲＦ信号のレベルを検出するようにしたものを提案する。
【００２８】
この記録状態判別方法によれば、前述の本発明に係る磁気記録再生装置について説明したのと全く同様にして、低い消費電力で記録状態の判別を行うことや、メカニカルトラブルによる傷を見つけることや、記録状態の判別精度の低下を招くことなくより一層低い消費電力で記録状態の判別を行うことができるようになる。
【００２９】
次に、本出願人は、回転ドラム上に、互いに対向する複数対の記録ヘッドと、これらの記録ヘッドに対応する複数対の再生ヘッドとを配置した磁気記録再生装置において、１つずつの対の記録ヘッドと再生ヘッドとで、ロータリートランスの１つのチャンネルが共用されており、再生ＲＦ信号のレベルを検出する検出手段と、記録時に、各々の対の記録ヘッドの一方の記録ヘッドの記録期間と残りの記録ヘッドの記録期間との間の非記録期間に、その対の記録ヘッドとロータリートランスのチャンネルを共用する対の再生ヘッドによる再生ＲＦ信号を、ロータリートランスのその共有するチャンネルを介して検出手段に供給させる制御手段とを備えた磁気記録再生装置を提案する。
【００３０】
この磁気記録再生装置では、記録時に、回転ドラム上の各対の記録ヘッド（対向記録ヘッド）のうちの一方の記録ヘッドの記録期間と残りの記録ヘッドの記録期間との間の非記録期間に、その対向記録ヘッドとロータリートランスのチャンネルを共用する対の再生ヘッド（対向再生ヘッド）による、その対向再生へッドに対応する対向記録ヘッドで形成されるトラックからの再生ＲＦ信号が、制御手段により、ロータリートランスのその共有するチャンネルを介して検出手段に供給されて、検出手段によってレベル検出される。したがって、このレベル検出結果に基づいて、記録状態を判別することができる。
【００３１】
また、対向記録ヘッドの非記録期間にのみトラックを再生するので、従来のようにトラックを全長に亘って再生する場合と異なり、記録時に常時再生アンプをオンにする必要はなく、この非記録期間にのみ再生アンプをオンにすれば足りる。これにより、低い消費電力で記録状態の判別を行えるようになる。
【００３２】
そして、１対ずつの対向記録ヘッドと対向再生ヘッドとでロータリートランスの１つのチャンネルを共用するので、従来のように各対向記録ヘッド用のロータリートランスと各対向再生ヘッド用のロータリートランスとを別々に設ける場合よりも、ロータリートランスのチャンネル数が少なくなる。これにより、回転ドラムが小型軽量化されるので、磁気記録再生装置全体を小型軽量化することができるようになる。
【００３３】
なお、この磁気記録再生装置において、一例として、各対向記録ヘッドによって形成されるトラック毎に、トラックの走査方向上の異なる位置からの再生ＲＦ信号が検出手段に供給されるように、ロータリートランスのチャンネルの共用関係を決定することが好適である。さらには、各対向記録ヘッドによって形成されるトラックについて、磁気テープの幅方向上で均等に分散した位置からの再生ＲＦ信号が検出手段に供給されるように、ロータリートランスのチャンネルの共用関係を決定することが一層好適である。
【００３４】
それにより、各対向記録ヘッドによって形成されるトラック毎に、トラックの走査方向上の異なる位置からの再生ＲＦ信号が検出手段に供給される（さらには、各対向記録ヘッドによって形成されるトラックについて、磁気テープの幅方向上で均等に分散した位置からの再生ＲＦ信号が検出手段に供給される）ようになる。したがって、既に説明したように、メカニカルトラブルによる傷を見つけることが可能になるので、記録状態をより一層高精度に判別することができるようになる。
【００３５】
また、この磁気記録再生装置においても、一例として、制御手段は、記録ヘッドの記録期間の複数倍以上の期間を単位として、間欠的に検出手段に再生ＲＦ信号を供給させることが好適である。
【００３６】
それにより、やはり、記録状態の判別精度の低下を招くことなく、より一層低い消費電力で記録状態の判別を行うことができるようになる。
【００３７】
【発明の実施の形態】
以下、ポータブル型のデジタルＶＴＲに本発明を適用した例について、図面を用いて具体的に説明する。
【００３８】
図３は、本発明を適用したポータブル型デジタルＶＴＲの回転ドラム上のヘッドの配置例を示す図であり、図１と共通する部分には同一符号を付している。回転ドラム２０上に、記録ヘッドＲＥＣ１〜ＲＥＣ１２と、各記録ヘッドＲＥＣ１〜ＲＥＣ１２に対してそれぞれ１８０°の角間隔で対向する記録ヘッドＲＥＣ１３〜ＲＥＣ２４との、合計２４個の記録ヘッド（１２対の対向記録ヘッド）が配置されている。
【００３９】
また、各記録ヘッドＲＥＣ１〜ＲＥＣ２４に対してそれぞれ９０°の角間隔で、２４個の再生ヘッドＰＢ１〜ＰＢ２４（１２対の対向再生ヘッド）が配置されている。
【００４０】
記録時には、回転ドラム２０に巻き付けられて走行する磁気テープに、各記録ヘッドＲＥＣ１〜ＲＥＣ２４により、ドラム１回転あたり２４本のトラックが斜めに形成される。
【００４１】
図４は、回転ドラム２０内の回路構成を示す図であり、図２と共通する部分に同一符号を付している。１４チャンネルのロータリートランス３０と、１２個の記録アンプ１０１〜１１２と、１２個の再生アンプ２０１〜２１２と、マルチプレクスデコーダ４０とが設けられている。
【００４２】
ロータリートランス３０のチャンネルＣＨ１は、このポータブル型デジタルＶＴＲ内の信号処理系（後出の図６）からの対向記録ヘッドＲＥＣ１／１３用の記録信号を対向記録ヘッドＲＥＣ１／１３用の記録アンプ１０１に送る用途と、対向再生ヘッドＰＢ１２／２４用の再生アンプ２１２からの再生ＲＦ信号を、デジタルＶＴＲ内の信号処理系に送る用途とに共用されている。
【００４３】
同様にして、ロータリートランス３０のチャンネルＣＨ２は、対向記録ヘッドＲＥＣ２／１４用の記録信号を対向記録ヘッドＲＥＣ２／１４用の記録アンプ１０２に送る用途と、対向再生ヘッドＰＢ１１／２３用の再生アンプ２１１からの再生ＲＦ信号を信号処理系に送る用途とに共用されており、…ロータリートランス３０のチャンネルＣＨ１２は、対向記録ヘッドＲＥＣ１２／２４用の記録信号を対向記録ヘッドＲＥＣ１２／２４用の記録アンプ１１２に送る用途と、対向再生ヘッドＰＢ１／１３用の再生アンプ２０１からの再生ＲＦ信号を信号処理系に送る用途とに共用されている。
【００４４】
図５は、このようにしてロータリートランス３０のチャンネルＣＨ１〜ＣＨ１２を共用する対向記録ヘッドと対向再生ヘッドとの組み合わせを一覧にして示す図である。図４にも表れているように、チャンネルＣＨ１は対向記録ヘッドＲＥＣ１／１３と対向再生ヘッドＰＢ１２／２４とで共用され、チャンネルＣＨ２は対向記録ヘッドＲＥＣ２／１４と対向再生ヘッドＰＢ１１／２３とで共用されている。
【００４５】
また、チャンネルＣＨ３は対向記録ヘッドＲＥＣ３／１５と対向再生ヘッドＰＢ１０／２２とで共用され、チャンネルＣＨ４は対向記録ヘッドＲＥＣ４／１６と対向再生ヘッドＰＢ９／２１で共用され、チャンネルＣＨ５は対向記録ヘッドＲＥＣ５／１７と対向再生ヘッドＰＢ８／２０とで共用されている。
【００４６】
チャンネルＣＨ６は対向記録ヘッドＲＥＣ６／１８と対向再生ヘッドＰＢ７／１９とで共用され、チャンネルＣＨ７は対向記録ヘッドＲＥＣ７／１９と対向再生ヘッドＰＢ６／１８とで共用され、チャンネルＣＨ８は対向記録ヘッドＲＥＣ８／２０と対向再生ヘッドＰＢ５／１７とで共用されている。
【００４７】
チャンネルＣＨ９は対向記録ヘッドＲＥＣ９／２１と対向再生ヘッドＰＢ４／１６とで共用され、チャンネルＣＨ１０は対向記録ヘッドＲＥＣ１０／２２と対向再生ヘッドＰＢ３／１５とで共用され、チャンネルＣＨ１１は対向記録ヘッドＲＥＣ１１／２３と対向再生ヘッドＰＢ２／１４とで共用されている。
【００４８】
そして、図４にも表れているように、チャンネルＣＨ１２は対向記録ヘッドＲＥＣ１２／２４と対向再生ヘッドＰＢ１／２３とで共用されている。
【００４９】
図４に示すように、ロータリートランス３０のチャンネルＣＨ１３，ＣＨ１４は、それぞれ、ポータブル型デジタルＶＴＲ内の信号処理系からの、各記録アンプ１０１〜１１２，再生アンプ２０１〜２１２用の２４系統のコントロール信号を多重化したＭＰＸデータを多重化したＭＰＸデータと、このＭＰＸデータの復元のために必要なクロックＣＫとをマルチプレクスデコーダ４０に送るために用いられる。
【００５０】
図６は、このポータブル型デジタルＶＴＲ内の信号処理系の概要を示す図である。外部からこのポータブル型デジタルＶＴＲに入力したアナログ映像信号は、Ａ／Ｄ変換器１でデジタル変換され、画像圧縮部２で所定の符号化方式（例えばＭＰＥＧ）で圧縮され、パリティ付加部３で誤り訂正のためのパリティ等を付加された後、チャンネルエンコーダ４で各記録ヘッドＲＥＣ１〜ＲＥＣ２４用の２４系統の記録信号に変換される。
【００５１】
記録ヘッドＲＥＣ１，ＲＥＣ１３（対向記録ヘッドＲＥＣ１／１３）用の記録信号は、ロータリートランス３０のチャンネルＣＨ１を介して記録アンプ１０１（図４）に送られる。同様に、記録ヘッドＲＥＣ２，ＲＥＣ１４（対向記録ヘッドＲＥＣ２／１４）用の記録信号はロータリートランス３０のチャンネルＣＨ２を介して記録アンプ１０２（図４）に送られ、…記録ヘッドＲＥＣ１２，ＲＥＣ２４（対向記録ヘッドＲＥＣ１２／２４）用の記録信号はロータリートランス３０のチャンネルＣＨ１２を介して記録アンプ１１２（図４）に送られる。
【００５２】
対向再生ヘッドＰＢ１／１３〜ＰＢ１２／２４用の再生アンプ２０１〜２１２（図４）からの再生ＲＦ信号は、それぞれロータリートランス３０のチャンネルＣＨ１２〜ＣＨ１を介して、信号レベル検出部５に供給されるとともにチャンネルデコーダ７に供給される。
【００５３】
信号レベル検出部５及びその後段の記録状態判断部６は、記録時の記録状態の判別のために用いられる回路であり、その動作については後述する。
【００５４】
通常の再生時には、各対向再生ヘッドＰＢ１／１３〜ＰＢ１２／２４からの再生ＲＦ信号が、それぞれ再生アンプ２０１〜２１２及びロータリートランス３０のチャンネルＣＨ１２〜ＣＨ１を介してチャンネルデコーダ７に送られ、このチャンネルデコーダ７で波形整形されるとともにデジタル映像信号に復号され、誤り訂正部８でパリティを使用して誤り訂正され、画像伸長部９で画像圧縮部２と同じ符号化方式で伸長され、Ｄ／Ａ変換器１０でアナログ変換されて、このポータブル型デジタルＶＴＲから外部に出力される。
【００５５】
コントロール信号発生部１１では、回転ドラム２０（図３）の回転に伴ってパルスジェネレータ（図示略）で発生されるパルス（ドラムＰＧ）に基づき、各記録アンプ１０１〜１１２，再生アンプ２０１〜２１２用の２４系統のコントロール信号が作成される。マルチプレクスエンコーダ１２では、これらのコントロール信号を多重化したＭＰＸデータが生成される。そして、このＭＰＸデータと、このＭＰＸデータの復元のために必要なクロックＣＫとが、それぞれマルチプレクスエンコーダ１２からロータリートランス３０のチャンネルＣＨ１３，ＣＨ１４を介してマルチプレクスデコーダ４０（図４）に送られる。
【００５６】
マルチプレクスデコーダ４０では、クロックＣＫを用いてこのＭＰＸデータが復元されて、記録アンプ１０１〜１１２，再生アンプ２０１〜２１２にコントロール信号が与えられる。
【００５７】
図７は、ロータリートランス３０のチャンネルＣＨ１〜ＣＨ１２を通過する各記録ヘッドＲＥＣ１〜ＲＥＣ２４用の記録信号と、記録時にこのＭＰＸデータに基づいてマルチプレクスデコーダ４０から各記録アンプ１０１〜１１２，再生アンプ２０１〜２１２に与えられるコントロール信号との関係を、代表的にチャンネルＣＨ１と記録アンプ１０１，再生アンプ２１２（チャンネルＣＨ１を共用する対向記録ヘッドＲＥＣ１／１３，対向再生ヘッドＰＢ１２／２４用の記録アンプ，再生アンプ）とについて示すタイミングチャートである。
【００５８】
同図Ｄに示すように、ロータリートランス３０のチャンネルＣＨ１には、回転ドラム２０の１回転周期Ｔの２分の１よりも僅かに短い期間ずつ、記録ヘッドＲＥＣ１用の記録信号，記録ヘッドＲＥＣ１３用の記録信号が交互に通過する。
【００５９】
マルチプレクスデコーダ４０からは、同図Ａ，Ｂに示すように、記録ヘッドＲＥＣ１用の記録信号がチャンネルＣＨ１を通過するタイミングでは記録ヘッドＲＥＣ１に記録を行わせ、記録ヘッドＲＥＣ１３用の記録信号がチャンネルＣＨ１を通過するタイミングでは記録ヘッドＲＥＣ１３に記録を行わせるコントロール信号（アクティブロウの信号）が記録アンプ１０１に与えられる。
【００６０】
これにより、同図Ｃに示すように、記録ヘッドＲＥＣ１用の記録信号，記録ヘッドＲＥＣ１３用の記録信号がロータリートランス３０のチャンネルＣＨ１を通過する期間は、対向記録ヘッドＲＥＣ１／１３に記録が許可された期間（記録期間）になるが、これらの記録信号がロータリートランス３０のチャンネルＣＨ１を通過しない期間は、対向記録ヘッドＲＥＣ１／１３に記録が許可されない期間（非記録期間）になる。
【００６１】
図８は、このポータブル型デジタルＶＴＲにおける記録時の再生タイミングを示すタイミングチャートであり、このうち図８Ａは、ロータリートランス３０のチャンネルＣＨ１〜ＣＨ１２を通過する各記録ヘッドＲＥＣ１〜ＲＥＣ２４用の記録信号と、図７に示したようにしてマルチプレクスデコーダ４０から各記録アンプ１０１〜１１２に与えられるコントロール信号による各対向記録ヘッドＲＥＣ１／１３〜ＲＥＣ１２／２４の記録期間との関係を示している。
【００６２】
また、図８Ｂは、各対向記録ヘッドＲＥＣ１／１３〜ＲＥＣ１２／２４によって形成されるトラックが各対向再生ヘッドＰＢ１／１３〜ＰＢ１２／２４で走査されるタイミングを、図８Ａと対応させて示している。
【００６３】
図８Ｂに▲１▼〜▲９▼、ａ〜ｃとして示すように、対向記録ヘッドＲＥＣ１／１３での記
録ヘッドＲＥＣ１用の記録信号の記録期間の後の非記録期間には、各対向記録ヘッドＲＥＣ１／１３〜ＲＥＣ１２／２４の記録ヘッドＲＥＣ１〜ＲＥＣ１２によって形成されるトラックが、それぞれ対向再生ヘッドＰＢ１／１３〜ＰＢ１２／２４の再生ヘッドＰＢ１〜ＰＢ１２によって走査されている。
【００６４】
同様に、対向記録ヘッドＲＥＣ１／１３〜ＲＥＣ１２／２４での記録ヘッドＲＥＣ２〜ＲＥＣ１２用の記録信号の記録期間の後の非記録期間にも、各対向記録ヘッドＲＥＣ１／１３〜ＲＥＣ１２／２４の記録ヘッドＲＥＣ１〜ＲＥＣ１２によって形成されるトラックが、それぞれ再生ヘッドＰＢ１〜ＰＢ１２によって走査されており、対向記録ヘッドＲＥＣ１／１３〜ＲＥＣ１２／２４での記録ヘッドＲＥＣ１３〜ＲＥＣ２４用の記録信号の記録期間の後の非記録期間にも、各対向記録ヘッドＲＥＣ１／１３〜ＲＥＣ１２／２４の記録ヘッドＲＥＣ１３〜ＲＥＣ２４によって形成されるトラックが、それぞれ再生ヘッドＰＢ１３〜ＰＢ２４によって走査されている。
【００６５】
したがって、いずれの非記録期間にも、各対向記録ヘッドＲＥＣ１／１３〜ＲＥＣ１２／２４のうちの任意の対向記録ヘッドによって形成されるトラックを再生することは可能である。
【００６６】
なお、例えば記録する映像信号のフィールド周波数が２９．９７Ｐである場合には、ドラム回転周期Ｔ＝１６．６８３４ｍｓ（Ｔ／２＝８．３４１７ｍｓ）であり、記録期間，非記録期間の長さはそれぞれ８．０４４１ｍｓ，０．２９７６ｍｓに設定される。本出願人は、０．１ｍｓの期間があればトラックを再生することが可能であることを確認しているので、非記録期間にトラックを再生することは十分可能である。
【００６７】
ここで、このポータブル型デジタルＶＴＲでは、図７Ｅに示すように、記録時には、マルチプレクスエンコーダ１２（図６）からのＭＰＸデータに基づき、マルチプレクスデコーダ４０（図４）から再生アンプ２１２（対向記録ヘッドＲＥＣ１／１３とロータリートランス３０のチャンネルＣＨ１を共用する対向再生ヘッドＰＢ１２／２４用の再生アンプ）に、対向記録ヘッドＲＥＣ１／１３の非記録期間にのみ再生アンプ２１２をオンにするコントロール信号が与えられる。
【００６８】
また、マルチプレクスデコーダ４０から再生アンプ２１１〜２０１（それぞれ対向記録ヘッドＲＥＣ２／１４〜ＲＥＣ１２／２４とロータリートランス３０のチャンネルＣＨ２〜ＣＨ１２を共用する対向再生ヘッドＰＢ１１／２３〜ＰＢ１／１２用の再生アンプ）にも、それぞれ対向記録ヘッドＲＥＣ２／１４〜ＲＥＣ１２／２４の非記録期間にのみ再生アンプ２１１〜２０１をオンにするコントロール信号が与えられる。
【００６９】
その結果、図８Ｂに黒地で示すように、対向記録ヘッドＲＥＣ１／１３の非記録期間には、対向記録ヘッドＲＥＣ１２／２４によって形成されるトラックからの、対向記録ヘッドＲＥＣ１２／２４に対応する対向再生ヘッドＰＢ１２／２４による再生ＲＦ信号が、再生アンプ２１２及びロータリートランス３０のチャンネルＣＨ１（記録信号が通過していないチャンネル）を介して、このポータブル型デジタルＶＴＲ内の信号処理系（図６）に送られる。
【００７０】
また、同じく黒地で示すように、対向記録ヘッドＲＥＣ２／１４の非記録期間には、対向記録ヘッドＲＥＣ１１／２３によって形成されるトラックからの対向再生ヘッドＰＢ１１／２３による再生ＲＦ信号が、再生アンプ２１１及びロータリートランス３０のチャンネルＣＨ２（記録信号が通過していないチャンネル）を介してこの信号処理系に送られる。
【００７１】
また、同じく黒地で示すように、対向記録ヘッドＲＥＣ３／１５の非記録期間には、対向記録ヘッドＲＥＣ１０／２２によって形成されるトラックからの対向再生ヘッドＰＢ１０／２２による再生ＲＦ信号が、再生アンプ２１０及びロータリートランス３０のチャンネルＣＨ３（記録信号が通過していないチャンネル）を介してこの信号処理系に送られる。
【００７２】
また、同じく黒地で示すように、対向記録ヘッドＲＥＣ４／１６の非記録期間には、対向記録ヘッドＲＥＣ９／２１によって形成されるトラックからの対向再生ヘッドＰＢ９／２１による再生ＲＦ信号が、再生アンプ２０９及びロータリートランス３０のチャンネルＣＨ４（記録信号が通過していないチャンネル）を介してこの信号処理系に送られる。
【００７３】
また、同じく黒地で示すように、対向記録ヘッドＲＥＣ５／１７の非記録期間には、対向記録ヘッドＲＥＣ８／２０によって形成されるトラックからの対向再生ヘッドＰＢ８／２０による再生ＲＦ信号が、再生アンプ２０８及びロータリートランス３０のチャンネルＣＨ５（記録信号が通過していないチャンネル）を介してこの信号処理系に送られる。
【００７４】
また、同じく黒地で示すように、対向記録ヘッドＲＥＣ６／１８の非記録期間には、対向記録ヘッドＲＥＣ７／１９によって形成されるトラックからの対向再生ヘッドＰＢ７／１９による再生ＲＦ信号が、再生アンプ２０７及びロータリートランス３０のチャンネルＣＨ６（記録信号が通過していないチャンネル）を介してこの信号処理系に送られる。
【００７５】
また、同じく黒地で示すように、対向記録ヘッドＲＥＣ７／１９の非記録期間には、対向記録ヘッドＲＥＣ６／１８によって形成されるトラックからの対向再生ヘッドＰＢ６／１８による再生ＲＦ信号が、再生アンプ２０６及びロータリートランス３０のチャンネルＣＨ７（記録信号が通過していないチャンネル）を介してこの信号処理系に送られる。
【００７６】
また、同じく黒地で示すように、対向記録ヘッドＲＥＣ８／２０の非記録期間には、対向記録ヘッドＲＥＣ５／１７によって形成されるトラックからの対向再生ヘッドＰＢ５／１７による再生ＲＦ信号が、再生アンプ２０５及びロータリートランス３０のチャンネルＣＨ８（記録信号が通過していないチャンネル）を介してこの信号処理系に送られる。
【００７７】
また、同じく黒地で示すように、対向記録ヘッドＲＥＣ９／２１の非記録期間には、対向記録ヘッドＲＥＣ４／１６によって形成されるトラックからの対向再生ヘッドＰＢ４／１６による再生ＲＦ信号が、再生アンプ２０４及びロータリートランス３０のチャンネルＣＨ９（記録信号が通過していないチャンネル）を介してこの信号処理系に送られる。
【００７８】
また、同じく黒地で示すように、対向記録ヘッドＲＥＣ１０／２２の非記録期間には、対向記録ヘッドＲＥＣ３／１５によって形成されるトラックからの対向再生ヘッドＰＢ３／１５による再生ＲＦ信号が、再生アンプ２０３及びロータリートランス３０のチャンネルＣＨ１０（記録信号が通過していないチャンネル）を介してこの信号処理系に送られる。
【００７９】
また、同じく黒地で示すように、対向記録ヘッドＲＥＣ１１／２３の非記録期間には、対向記録ヘッドＲＥＣ２／１４によって形成されるトラックからの対向再生ヘッドＰＢ２／１４による再生ＲＦ信号が、再生アンプ２０２及びロータリートランス３０のチャンネルＣＨ１１（記録信号が通過していないチャンネル）を介してこの信号処理系に送られる。
【００８０】
また、同じく黒地で示すように、対向記録ヘッドＲＥＣ１２／２４の非記録期間には、対向記録ヘッドＲＥＣ１／１３によって形成されるトラックからの対向再生ヘッドＰＢ１／１３による再生ＲＦ信号が再生アンプ２０１及びロータリートランス３０のチャンネルＣＨ１２（記録信号が通過していないチャンネル）を介してこの信号処理系に送られる。
【００８１】
なお、記録時には、マルチプレクスデコーダ４０からは、マルチプレクスエンコーダ１２からのＭＰＸデータに基づき、個々の記録ヘッドＲＥＣ１〜ＲＥＣ２４の記録期間の複数倍以上の期間である数フレーム分の期間を単位として、間欠的に（例えば１秒おきに）、このように再生アンプ２０１〜２１２をオンにするコントロール信号が再生アンプ２０１〜２１２に与えられる。
【００８２】
このようにして、記録時には、各対向記録ヘッドＲＥＣ１／１３〜ＲＥＣ１２／２４によって形成されるトラックの一部の箇所（非記録期間に対応する長さの箇所）からの再生ＲＦ信号が、数フレーム分の期間を単位として、間欠的にこのポータブル型デジタルＶＴＲ内の信号処理系（図６）に送られる。
【００８３】
図６に示すように、レベル検出部５では、信号処理系に送られた各トラックからの再生ＲＦ信号のレベルが検出されて、その検出結果が記録状態判断部６に送られる。
【００８４】
記録状態判断部６は、例えばマイクロプロセッサから成っており、レベル検出部５の検出結果に基づき、同一の対向記録ヘッドによって形成されるトラックからの再生ＲＦ信号のレベルが、数フレーム分の期間に亘って連続して一定以下であったか否かを判断する。そして、イエスである場合には記録が正常に行われていないと判別し、ノーである場合には記録が正常に行われていると判別する。これは、単なるドロップアウトのみで記録が正常に行われていないと判別することを避けるためである。
【００８５】
ここで、各トラックの再生タイミングを、図８に黒地で示したようなタイミングにした理由を説明する。図９は、この再生タイミングで再生される（再生ＲＦ信号がレベル検出部５に供給される）トラックの箇所の、磁気テープ上での位置を示す図である。
【００８６】
回転ドラム２０が１／２回転する間に記録ヘッドＲＥＣ１〜ＲＥＣ１２（または記録ヘッドＲＥＣ１３〜ＲＥＣ２４）によって磁気テープ１００に斜めに形成されるトラックＴＲ１〜ＴＲ１２毎に、図に黒地で示すように、トラックの走査方向上の異なる位置が再生される。しかも、各トラックＴＲ１〜ＴＲ１２について、磁気テープ１００の幅方向上で均等に分散した位置が再生される。
【００８７】
これに対し、各トラックの再生タイミングを、例えば図１０に黒地で示すように、対向記録ヘッドＲＥＣ１／１３の非記録期間には、対向記録ヘッドＲＥＣ１／１３によって形成されるトラックからの対向再生ヘッドＰＢ１／１３による再生ＲＦ信号を信号処理系に送り、対向記録ヘッドＲＥＣ２／１４の非記録期間には、対向記録ヘッドＲＥＣ２／１４によって形成されるトラックからの対向再生ヘッドＰＢ２／１４による再生ＲＦ信号を信号処理系に送り、…対向記録ヘッドＲＥＣ１２／２４の非記録期間には、対向記録ヘッドＲＥＣ１２／２４によって形成されるトラックからの対向再生ヘッドＰＢ１２／２４による再生ＲＦ信号を信号処理系に送る、というようなタイミングにしたとする（この場合には、ロータリートランス３０のチャンネルＣＨ１を対向記録ヘッドＲＥＣ１／１３と対向再生ヘッドＰＢ１／１３とで共用させ、ロータリートランス３０のチャンネルＣＨ２を対向記録ヘッドＲＥＣ２／１４と対向再生ヘッドＰＢ２／１４とで共用させ、…ロータリートランス３０のチャンネルＣＨ１２を対向記録ヘッドＲＥＣ１２／２４と対向再生ヘッドＰＢ１２／２４とで共用させることになる）。
【００８８】
図１１は、そうした再生タイミングで再生されるトラックの箇所の、磁気テープ上での位置を示す図である。記録ヘッドＲＥＣ１〜ＲＥＣ１２（または記録ヘッドＲＥＣ１３〜ＲＥＣ２４）によって形成されるトラックＴＲ１〜ＴＲ１２について、図に黒地で示すように、トラック走査方向上の同じ部分が再生される。
【００８９】
磁気テープの走行時には、テープ走行系の一部が磁気テープを引っ掻くことにより、磁気テープに長手方向に沿って直線状に傷が付くというメカニカルなトラブルが生じることがある。この傷は、磁気テープに斜めに形成されるトラックについてみると、各トラックの走査方向上の同じ位置に存在することになる。図９，図１１には、それぞれこうした傷１０１を描いている。
【００９０】
各トラックＴＲ１〜ＴＲ１２についてトラックの走査方向上の同じ位置を再生する場合には、図１１のように、その位置が傷１０１の存在する位置と異なっていることにより、この傷１０１を見過ごして記録状態が正常であると判別してしまう。
【００９１】
これに対し、図９のように、トラックＴＲ１〜ＴＲ１２毎に、トラックの走査方向上の異なる位置を再生する（しかもその位置を磁気テープ１００の幅方向上で均等に分散させる）場合には、いずれかのトラック（図９ではトラックＴＲ１０〜ＴＲ１２）からの再生ＲＦ信号のレベルの検出結果から、こうしたメカニカルトラブルによる傷を見つけることが可能になる。これにより、記録状態をより一層高精度に判別することができる。
【００９２】
以上のように、このポータブル型デジタルＶＴＲによれば、記録時に、回転ドラム２０上の各対向記録ヘッドＲＥＣ１／１３〜ＲＥＣ１２／２４のうちの一方の記録ヘッドの記録期間と残りの記録ヘッドの記録期間との間の非記録期間に、対向再生ヘッドＰＢ１／１３〜ＰＢ１２／２４のうちその対向記録ヘッドとロータリートランス３０のチャンネルを共用する対向再生ヘッドによる、その対向再生へッドに対応する対向記録ヘッドで形成されるトラックからの再生ＲＦ信号が、ロータリートランス３０のその共有するチャンネルを介して信号レベル検出部５に供給されて、信号レベル検出部５によってレベル検出される。そして、このレベル検出結果に基づいて、記録状態判別部６によって記録状態が判別される。
【００９３】
また、対向記録ヘッドＲＥＣ１／１３〜ＲＥＣ１２／２４の非記録期間にのみトラックを再生するので、従来のようにトラックを全長に亘って再生する場合と異なり、記録時に常時再生アンプ２０１〜２１２をオンにするのではなく、この非記録期間にのみ再生アンプ２０１〜２１２をオンにしている。これにより、低い消費電力で記録状態の判別を行うことができる。
【００９４】
そして、１対ずつの対向記録ヘッドＲＥＣ１／１３〜ＲＥＣ１２／２４と対向再生ヘッドＰＢ１／１３〜ＰＢ１２／２４とでロータリートランス３０の１つのチャンネルを共用するので、従来のように各対向記録ヘッド用のロータリートランスと各対向再生ヘッド用のロータリートランスとを別々に設ける場合よりも、ロータリートランス３０のチャンネル数が少なくなっている。これにより、回転ドラム２０が小型軽量化されるので、このポータブル型デジタルＶＴＲ全体を小型軽量化することができる。
【００９５】
さらに、図９に示したように、各対向記録ヘッドＲＥＣ１／１３〜ＲＥＣ１２／２４によって形成されるトラックについて、磁気テープの幅方向上で均等に分散した位置からの再生ＲＦ信号を検出することにより、メカニカルトラブルによる傷を見つけることが可能になるので、記録状態をより一層高精度に判別することができる。
【００９６】
さらに、個々の記録ヘッドＲＥＣ１〜ＲＥＣ２４の記録期間の複数倍以上の期間である数フレーム分の期間を単位として、間欠的に再生ＲＦ信号のレベルを検出することにより、再生アンプ２０１〜２１２をオンにするトータルの期間がさらに短くなっているので、より一層低い消費電力で記録状態の判別を行えるようになっている。また、記録ヘッドＲＥＣ１〜ＲＥＣ２４の記録期間の複数倍以上の期間を単位としてレベル検出を行うことにより、複数トラックからの再生ＲＦ信号のレベルが連続して検出されるので、記録状態の判別精度の低下を招くこともない。
【００９７】
なお、以上の例では、回転ドラム上に１２対ずつの対向記録ヘッド，対向再生ヘッドを配置したポータブル型デジタルＶＴＲに本発明を適用している。しかし、これに限らず、１２対以外の数の対向記録ヘッド，対向再生ヘッドを回転ドラム上に配置したポータブル型デジタルＶＴＲや、据え置き型のデジタルＶＴＲや、デジタルＶＴＲ以外の磁気記録再生装置にも本発明を適用してよい。
【００９８】
また、以上の例では、１対ずつの対向記録ヘッドと対向再生ヘッドとでロータリートランスの１つのチャンネルを共用している。しかし、これに限らず、対向記録ヘッドと対向再生ヘッドとでロータリートランスのチャンネルを共用することなく（対向記録ヘッド用のロータリートランスと対向再生ヘッド用のロータリートランスとを回転ドラム内に別々に設けて）、記録時に、各対向記録ヘッドのうちの一方の記録ヘッドの記録期間と残りの記録ヘッドの記録期間との間の非記録期間に、いずれかの対向再生ヘッドによる再生ＲＦ信号のレベルを検出するようにしてもよい。その場合にも、やはり、低い消費電力で記録状態の判別を行うことができるようになる。
【００９９】
【発明の効果】
以上のように、本発明によれば、デジタルＶＴＲ等の磁気記録再生装置において、対向記録ヘッドの非記録期間にのみトラックを再生することにより、低い消費電力で記録状態の判別を行うことができるという効果が得られる。
【０１００】
また、各対向記録ヘッドによって形成されるトラック毎に、トラックの走査方向上の異なる位置からの再生ＲＦ信号を検出する（さらには、各対向記録ヘッドによって形成されるトラックについて、磁気テープの幅方向上で均等に分散した位置からの再生ＲＦ信号を検出する）することにより、メカニカルトラブルによる傷を見つけることが可能になるので、記録状態をより一層高精度に判別することができるという効果も得られる。
【０１０１】
また、記録ヘッドの記録期間の複数倍以上の期間を単位として、間欠的に再生ＲＦ信号のレベルを検出することにより、記録状態の判別精度の低下を招くことなく、より一層低い消費電力で記録状態の判別を行うことができるという効果も得られる。
【０１０２】
さらに、１対ずつの対向記録ヘッドと対向再生ヘッドとでロータリートランスの１つのチャンネルを共用することにより、低い消費電力で記録状態の判別を行えるとともに、磁気記録再生装置全体を小型軽量化することができるという効果も得られる。
【図面の簡単な説明】
【図１】ポータブル型デジタルＶＴＲの回転ドラムのヘッドの配置例を示す図である。
【図２】従来のポータブル型デジタルＶＴＲの回転ドラム内の回路構成を示す図である。
【図３】本発明を適用したポータブル型デジタルＶＴＲの回転ドラムのヘッドの配置例を示す図である。
【図４】本発明を適用したポータブル型デジタルＶＴＲの回転ドラム内の回路構成を示す図である。
【図５】図３の回転ドラムにおいてロータリートランスを共用する対向ヘッドの組み合わせを示す図である。
【図６】本発明を適用したポータブル型デジタルＶＴＲの信号処理系を示すブロック図である。
【図７】図４のロータリートランスを通過する記録信号と、記録時に図４の記録アンプ，再生アンプに与えられるコントロール信号との関係を示す図である。
【図８】本発明を適用したポータブル型デジタルＶＴＲにおける記録時の再生タイミングを示すブロック図である。
【図９】図８の再生タイミングでの記録時の各トラックの再生位置を示す図である。
【図１０】記録時の再生タイミングの別の例を示す図である。
【図１１】図１０の再生タイミングでの記録時の各トラックの再生位置を示す図である。
【符号の説明】
１  Ａ／Ｄ変換器、  ２  画像圧縮部、  ３  パリティ付加部、  ４  チャンネルエンコーダ、  ５  信号レベル検出部、  ６  記録状態判別部、  ７  チャンネルデコーダ、  ８  誤り訂正部、  ９  画像伸長部、  １０  Ｄ／Ａ変換器、  １１  コントロール信号発生部、  １２  マルチプレクスエンコーダ、  ２０  回転ドラム、  ３０  ロータリートランス、  ４０  マルチプレクスデコーダ、  １０１〜１１２  記録アンプ、  ２０１〜２１２  再生アンプ、  ＣＨ１〜ＣＨ１４  ロータリートランスのチャンネル、  ＲＥＣ１〜ＲＥＣ２４  記録ヘッド、  ＰＢ１〜ＰＢ２４  再生ヘッド
【図１】
2005018832.tif 000003
【図２】
2005018832.tif 000004
【図３】
2005018832.tif 000005
【図４】
2005018832.tif 000006
【図５】
2005018832.tif 000007
【図６】
2005018832.tif 000008
【図７】
2005018832.tif 000009
【図８】
2005018832.tif 000010
【図９】
2005018832.tif 000011
【図１０】
2005018832.tif 000012
【図１１】
2005018832.tif 000013